(57)【要約】      （修正有）【課題】煙突から排出される排気ガスと、肥料分を含む石灰水を反応させて液肥を作る方法を提供する。【解決手段】煙突３上部に接続された排気ガス取り込み管２を介して、且つ送風ブロアー７の送風力を用いて、反応層タンク４内部に排気ガス２４を取り込む。反応層上部に設置された溶液噴射ノズル６から、溶液タンク２３内部の窒素質溶液２２を、溶液ろ過タンク１５内部を介して且つ液体ポンプ１０を用いて霧状に噴射することで、煙突から取り込まれた排気ガスと溶液が一定の温度の中で化学反応し、窒素を含んだ液肥が生成され液体肥料が出来るなど、煙突からの排気ガスと窒素質溶液２２等を含んだ石灰水を原料とした窒素を主体とした液肥が製造される方法。【選択図】図１
2022001547.tif 000002
【特許請求の範囲】
【請求項１】
本発明は煙突から排出される排気ガス、主に熱と二酸化炭素と窒素質成分を溶かし込んだ石灰溶液を反応させて肥料成分を含んだ液体肥料を製造する方法である。また、図１、の作用は連続的に繰り返し行われる。
先ず、煙突上部３、に接続された排気ガス取り込み管２、を介して且つ送風ブロアー７、の吸引力を用いて反応層タンク４、内部に排気ガス２４、を取り込む。反応層タンク上部に設置された溶液噴射ノズル６から、溶液タンク２３、窒素質溶液２２、を溶液ろ過タンク１５、内部を介して且つ溶液ポンプ１０を用いて反応層上部の噴射ノズル６、から霧状に噴射する。煙突から取り込まれた排気ガスと溶液が一定の温度の中で化学反応することで窒素を含んだ液肥が生成され液体肥料が出来るなどの煙突からの排気ガスと窒素質溶液２２、等を含んだ溶液を利用した液肥製造方法。
【請求項２】
請求項１、の作用を駆動させて、溶液ろ過タンク１５、上部に位置する混合原料タンク１７、内部にりん酸質原料１６、を入れ込む、さらに、混合原料タンク１４、内部に加里質原料１３、を入れ込むことで溶液内にりん酸質肥料成分と加里質肥料成分が混合されて、窒素質成分、りん酸質成分、加里質成分が含まれた液肥が作られるなどの液肥製造方法。
【発明の詳細な説明】
【技術分野】
【０００１】  本発明は煙突から排出する排気ガスと肥料分を含む石灰水を反応して液肥を作る方法である。
【背景技術】
【０００２】  現在、籾殻暖房機を使用して農業ハウス暖房を行っている。暖房機使用過程において煙突から排出される二酸化炭素は地球温暖化の原因になっている。煙突から排出されるＣＯ２の削減を目指しての開発が肥料製造方法の背景になったと思われる。
特許文献に付きましては、調べましたが本発明に関連した文献はありませんでした。
【発明の開示】
【発明が解決しようとする課題】
【０００３】  籾殻の有効利用を目指して開発を行ってきた。籾殻燃焼を用いて農業ハウス暖房を行って１０年ほどの経過を見た。しかし、籾殻暖房は中々広がりを見せない、原因は複数見られる。先ず、稲作をやっている農家と農業ハウスを用いて野菜栽培をしている農家はそれぞれ別々が多い、つまり、農業ハウスで野菜栽培を行っている農家では籾殻はないのである。方や稲作を本業としている農家では籾殻は処理に困るほど余っているのである。さらに、重油暖房では暖房費は高く野菜を作っても採算性に問題である。つまり、費用対効果から見ても中々経営が好転しないのである。したがって、儲かる農業を目指して考えなければならない。
【課題を解決するための手段】
【０００４】  各地方の農業社会において最も安価で且つ大量に存在する資源は籾殻である。使われていない余剰籾殻は年間２００万トンとも言われている。これらの籾殻を最も効果的且つ農業界の改革を目指して開発されたのが本籾殻を利用した肥料製造方法である。
本発明は煙突から排出される排気ガス、主に熱と二酸化炭素とアンモニア成分を溶かし込んだ石灰溶液を反応させて肥料成分を含んだ液体肥料を製造する方法である。ここからは図１、を用いて説明する。
先ず、煙突上部３、に接続された排気ガス取り込み管２、を介して且つ送風ブロアー７、の送風力を用いて反応層タンク４、内部に排気ガス２４、を取り込む。反応層上部に設置された溶液噴射ノズル６から、溶液タンク２３、内部の窒素質溶液２２、を溶液ろ過タンク１５、内部を介して且つ溶液ポンプ１０、を用いて反応層上部の噴射ノズル６、から霧状に噴射することで煙突から  取り込まれた排気ガスと溶液が一定の温度の中で化学反応することで、窒素を含んだ液肥が生成され液体肥料が出来るなどの煙突からの排気ガスと窒素質溶液２２、等を含んだ石灰水を原料とした窒素を主体とした液肥製造方法と二酸化炭素削減方法。
図１、の作用を駆動させて、溶液ろ過タンク１５、上部に位置する混合原料タンク１７、内部にりん酸質原料１６、を入れ込む、さらに、混合原料タンク１４、内部に加里質原料１３、を入れ込むことで溶液内にりん酸質肥料成分と加里質肥料成分が混合されて、窒素質成分、りん酸質成分、加里質成分が含まれた液肥が作られるなどの液肥製造方法である。本液肥製造方法は製造経費を低く抑えている方法であり野菜などの栽培事業の経済的優位を得ることが出来る。
【発明の効果】
【０００５】  本発明の全体像を説明する。先ず、冬季  農業ハウスでトマト栽培を行っていたとする。夕方４時籾殻暖房機を駆動させて翌朝８位まで籾殻暖房を行う、この時１６時間暖房を行と籾殻の使用量は１．７ｍ３を使用する。さらに  この時１６位間の暖房で暖房費の削減は約８０００円位になるのである。（重油暖房を行った時の経費対象換算）本肥料製造は上記に示した暖房作用を行う際に煙突から排出される排気ガスと発生熱量を利用して液肥を製造する方法である。つまり、暖房経費の削減を行うと同時に肥料を製造するのである。圧倒的な栽培事業の経費削減が可能になるなどの特徴を示している。また、本発明の煙突からの排気ガスを利用して液肥の製造方法であるが明細書の説明ではバイオマス燃料燃焼に伴う排気ガスを用いているが一般的石油燃焼に伴う排気ガスにおいても含有成分は少し異なるが液肥は製造できるのである。したがって、本液肥製造方法にバイオマス燃料以外での燃焼ガスも含まれる。
【発明を実施するための最良の形態】
【０００６】  本煙突からの排気ガスと熱量を利用した液肥製造方法は、最も安価な栽培経費が可能になると同時に栽培農家の経済的効果を得ることが出来るのである。さらに本方法を行うと同時に煙突から排出されるＣＯ２削減効果も得ることが出来るのである。
次に、製造された本液肥の肥料的効果と生育状況の観察を目的に生育試験を開始した。出来るだけ多くの野菜種類生育試験を目指して、トマト、キュウリ、ナス、キャベツ、小松菜、チンゲン菜、そら豆、レタス、などの成育試験を開始した。約３か月の実施生育試験から生育全体的の成育は良好で障害は見られなかった。次に、一般的肥料との対象生育試験が行われた結果。成長状況、葉の色、食しての食味、などを行った。いずれの場合も一般的な肥料との違いはなかった。
【実施例】
【０００７】  農業ハウス栽培活動において夕方４時に籾殻暖房を開始すると同時に煙突から排気ガスが排出される。図１、の本液肥製造方法の装置も同時に駆動して翌朝の８時まで１６時間連軸的に行われ一定量の肥料成分を含有した液肥が出来る。液肥の状態は見た目には透明で水と変わらない、肥料的養分の含有は電機伝導率測定数値（ＥＣ）８．５ｍｓ／ｃｍを示している。ＥＣ数値の変化では本装置の連続運転時間に比例して変化すると同時に窒素質、りん酸質、加里質などの各種原料の投入量においても肥料成分含有量は変化するのである。また  ｐＨ数値は６．５〜７．０を示している。
【産業上の利用可能性】
【０００８】  私たちは籾殻の有効活用を目指して籾殻開発を実施している。始めに行ったのは籾殻の燃焼に伴う熱量の利用で農業ハウスの暖房であった。さらに、有効活用を目指して開発を行った結果。籾殻暖房を行いながら農業用肥料を生産する新たな方法を開発した。籾殻暖房を行うことで１日８０００円の経費削減を可能にすると同時に肥料生産も行われるのである。厳しい農業ハウス経営において暖房経費削減と肥料製造を同時に行うことは農業経営に有効に作用すると思われる。
【図面の簡単な説明】
【０００９】
【図１】  煙突の排気ガスと肥料成分を有した石灰液を利用した肥料製造装置。
【符号の説明】１、    雨よけ傘                ２、    排気ガス取り込み管
３、    エントツ                ４、    反応層タンク
５、    溶液挿入管              ６、    噴射ノズル
７、    送風ブロアー            ８、    分水装置
９、    溶液移動管              １０、  液体ポンプ
１１、  ろ過装置                １２、  溶液移動管
１３、  加里質原料              １４、  混合原料タンク
１５、  溶液ろ過タンク          １６、  りん酸質原料
１７、  混合原料タンク          １８、  砂
１９、  小石                    ２０、  溶液移動管
２１、  反応液排出口            ２２、  窒素質溶液
２３、  溶液タンク              ２４、  排気ガス
【図１】
2022001547.tif 000003